(57)【特許請求の範囲】
【請求項１】
被乾燥物を収容する乾燥庫を有する本体と、被乾燥物を乾燥するヒートポンプ装置と、洗浄水を供給する給水弁と、洗浄水を加熱する加熱手段と、を備え、前記本体およびヒートポンプ装置をキッチンキャビネットに内装し、
前記ヒートポンプ装置は、冷媒を圧縮する圧縮機と、前記圧縮機により圧縮された冷媒の熱を放熱する放熱器と、冷媒の圧力を減圧する絞り手段と、冷媒により周囲の空気から熱を奪う吸熱器とを備え、
前記吸熱器から前記放熱器次いで前記乾燥庫を経て再び前記吸熱器にいたるとともに内部に乾燥用空気を循環させる送風機を有する循環風路が形成され、前記循環風路は、外気を吸い込むための外気導入口と、前記循環風路内の空気の一部を排気する排気口とを備え、乾燥開始直後は、循環のみあるいは循環量を多くし、かつ、吸気及び排気の量を少なくし、乾燥後半は前記乾燥開始直後より、循環量を少なくし、かつ、吸気及び排気量を多くすることにより、前記ヒートポンプ装置の冷却除湿作用により多湿空気中の水分を結露除去するようにした食器洗い乾燥機。
【請求項２】
前記ヒートポンプ装置は、前記本体と分離して設けた請求項１記載の食器洗い乾燥機。
【請求項３】
前記循環風路のうち前記本体と前記ヒートポンプ装置を連結する風路を本体連結風路とし、前記本体連結風路は着脱自在に設けた請求項２記載の食器洗い乾燥機。
【請求項４】
前記本体と前記ヒートポンプ装置を伸縮自在な可撓性の本体連結風路で連結した請求項２記載の食器洗い乾燥機。
【請求項５】
前記循環風路のうち前記乾燥庫と前記ヒートポンプ装置を連結する風路を乾燥庫連結風路とし、前記乾燥庫連結風路は着脱自在に設けた請求項１または２記載の食器洗い乾燥機。
【請求項６】
前記乾燥庫と前記ヒートポンプ装置を伸縮自在な可撓性の乾燥庫連結風路で連結した請求項１または２記載の食器洗い乾燥機。
【請求項７】
前記乾燥庫は、その上方を開口し、前記本体に対して引き出し自在に構成した請求項１〜
６のいずれか１項に記載の食器洗い乾燥機。
【請求項８】
前記乾燥庫を前記本体への収納時に前記乾燥庫の開口を閉塞する蓋体を有し、前記乾燥庫からの排気を前記蓋体を介して行うようにした請求項７記載の食器洗い乾燥機。
【請求項９】
前記乾燥庫の前面開口を開閉する蓋体と、被乾燥物を収容する食器かごとを有し、前記前面開口を開成した前記蓋体上に前記食器かごを引き出し自在に構成した請求項１〜６のいずれか１項に記載の食器洗い乾燥機。
【請求項１０】
前記ヒートポンプ装置は、前記本体の下方または後方に配設した請求項１〜９のいずれか１項に記載の食器洗い乾燥機。
【請求項１１】
前記ヒートポンプ装置は、前記乾燥庫の下方または後方に配設した請求項１〜９のいずれか１項に記載の食器洗い乾燥機。
【請求項１２】
被乾燥物を洗浄する洗浄手段を備えた請求項１〜１１のいずれか１項に記載の食器洗い乾燥機。
【請求項１３】
前記ヒートポンプ装置により発生した熱または冷熱は、複数の装置で利用可能とした請求項１記載の食器洗い乾燥機。
【発明の詳細な説明】
【技術分野】
【０００１】
本発明は、キッチンキャビネットに内装し、食器等を乾燥する食器洗い乾燥機に関するものである。
【背景技術】
【０００２】
従来、この種の厨房装置は、図１２に示すような構成であった（例えば、特許文献１参照）。以下、その構成について説明する。図１２は洗浄機能も備えた食器洗い乾燥機の例である。図に示すように、被乾燥物を収容した乾燥庫１と、乾燥庫１の外部の空気を乾燥庫１内に導入する送風機２と、乾燥庫１内を加熱する加熱手段３と、乾燥庫１内の空気を装置の外部に排出する排気口４とを備え、加熱手段３を動作させて空気および被乾燥物を加熱することで被乾燥物に付着した水分蒸発させ、送風機２を動作することで蒸発した水分を含む多湿空気を装置外部に排出することで効率よく乾燥するようになっていた。
【特許文献１】特開２００３−３３９６０７号公報
【発明の開示】
【発明が解決しようとする課題】
【０００３】
しかしながら、従来の厨房装置では、乾燥に伴って、排気口より高温多湿の空気が排出されるため、生活者の快適性が損なわれたり、厨房装置付近のキャビネットなどの木製部材が腐食したり、鉄製部材が錆びるなどの課題を有していた。特に、一般家庭用のキッチンキャビネットの多くは木製であり、キッチンキャビネットに内装した場合には、キッチンキャビネット自身を劣化させてしまうという課題を有していた。
【０００４】
本発明は、前記従来の課題を解決するもので、高温多湿の空気を本体外に排出することなく、被乾燥物の乾燥を行う食器洗い乾燥機を提供することを目的とする。
【課題を解決するための手段】
【０００５】
前記従来の課題を解決するために、本発明の食器洗い乾燥機は、被乾燥物を収容する乾燥庫を有する本体と、被乾燥物を乾燥するヒートポンプ装置とを備え、前記本体およびヒートポンプ装置をキッチンキャビネットに内装し、ヒートポンプ装置は、冷媒を圧縮する圧縮機と、圧縮機により圧縮された冷媒の熱を放熱する放熱器と、冷媒の圧力を減圧する絞り手段と、冷媒により周囲の空気から熱を奪う吸熱器とを備え、吸熱器から放熱器次いで乾燥庫を経て再び吸熱器にいたるとともに内部に乾燥用空気を循環させる送風機を有する循環風路が形成され、循環風路は、外気を吸い込むための外気導入口と、循環風路内の空気の一部を排気する排気口とを備え、乾燥開始直後は、循環のみあるいは循環量を多くし、かつ、吸気及び排気の量を少なくし、乾燥後半は乾燥開始直後より、循環量を少なくし、かつ、吸気及び排気量を多くすることにより、ヒートポンプ装置の冷却除湿作用により多湿空気中の水分を結露除去するものである。
【０００６】
ヒートポンプ装置の冷却除湿作用により多湿空気中の水分を結露除去することが可能であり、排気中の水分量を低下させることができる。また、排気の温度を低下することも可能である。これにより、本体外に排出される水分量を低減でき、使用者が不快に感じることを防止し、キッチンキャビネットや周囲の部材に悪影響を与えることを防止できる。また、乾燥庫とヒートポンプ装置で循環経路を形成し、本体外に排気を出さないようにすることも可能であり、この場合は、外部に対して全く影響を与えない。また、ヒートポンプ装置から発生する熱を乾燥用の加熱手段として使用することができ、乾燥促進用の加熱と除湿用の冷却を１個のエネルギー源（ヒートポンプ装置）で行えることから、省エネ化が図れる。
【発明の効果】
【０００７】
本発明の厨房装置は、乾燥時に本体外部に排出される水分量を低減することができる。さらに、庫内の温度、湿度や外気の温度、湿度などに応じて最適な風量や比率に設定することができ、乾燥開始直後は循環量を多くすることで、循環風の温度上昇を促進し、乾燥性能を高め、乾燥の進行した後半は、排気量を増やして過剰な温度上昇を避け、被洗浄物の劣化を防ぐことができる。
【発明を実施するための最良の形態】
【０００８】
第１の発明は、被乾燥物を収容する乾燥庫を有する本体と、被乾燥物を乾燥するヒートポンプ装置とを備え、前記本体およびヒートポンプ装置をキッチンキャビネットに内装し、、ヒートポンプ装置は、冷媒を圧縮する圧縮機と、圧縮機により圧縮された冷媒の熱を放熱する放熱器と、冷媒の圧力を減圧する絞り手段と、冷媒により周囲の空気から熱を奪う吸熱器とを備え、吸熱器から放熱器次いで乾燥庫を経て再び吸熱器にいたるとともに内部に乾燥用空気を循環させる送風機を有する循環風路が形成され、循環風路は、外気を吸い込むための外気導入口と、循環風路内の空気の一部を排気する排気口とを備え、乾燥開始直後は、循環のみあるいは循環量を多くし、かつ、吸気及び排気の量を少なくし、乾燥後半は乾燥開始直後より、循環量を少なくし、かつ、吸気及び排気量を多くすることにより、ヒートポンプ装置の冷却除湿作用により多湿空気中の水分を結露除去するものであり、ヒートポンプ装置の冷却除湿作用により多湿空気中の水分を結露除去することが可能であり、排気中の水分量を低下させることができる。また、排気の温度を低下することも可能である。これにより、本体外に排出される水分量を低減でき、使用者が不快に感じることを防止し、キッチンキャビネットなど周囲の部材に悪影響を与えることも防止できる。また、乾燥庫とヒートポンプ装置で循環経路を形成し、本体外に排気を出さないようにすることも可能であり、この場合は、外部に対して全く影響を与えない。また、ヒートポン
プ装置から発生する熱を乾燥用の加熱手段として使用することができ、乾燥促進用の加熱と除湿用の冷却を１個のエネルギー源（ヒートポンプ装置）で行えることから、省エネ化が図れる。また、乾燥開始直後は循環量を多くすることで、循環風の温度上昇を促進し、乾燥性能を高め、乾燥の進行した後半は、排気量を増やして過剰な温度上昇を避け、被洗浄物の劣化を防ぐなどの効果が得られる。
【０００９】
第２の発明は、ヒートポンプ装置は、本体と分離して設けたものであり、本体の小型化や軽量化が図れ、厨房装置の施工性が向上する。また、ヒートポンプ装置の大きさが自在であり、能力に応じたヒートポンプ装置を準備することが可能であり、要求する能力に応じてヒートポンプ装置を選択するなど、能力や大きさ、費用などの最適化を図ることができるようになる。
【００１０】
第３の発明は、循環風路のうち本体とヒートポンプ装置を連結する風路を本体連結風路とし、前記本体連結風路は着脱自在に設けたものであり、本体とヒートポンプ装置を別々に扱え、風路をつなぐだけで済むことから施工性の向上が図れる。
【００１１】
第４の発明は、本体とヒートポンプ装置を伸縮自在な可撓性の本体連結風路で連結したものであり、ヒートポンプ装置の設置の自由度が高まり施工性が向上する。また、施工に伴い本体連結風路が破損することを防止できる。
【００１２】
第５の発明は、循環風路のうち乾燥庫とヒートポンプ装置を連結する風路を乾燥庫連結風路とし、前記乾燥庫連結風路は着脱自在に設けたものであり、ヒートポンプ装置を移動させずに乾燥庫の移動が可能となり、乾燥庫を引き出して被乾燥物を出し入れするような構成の場合でも、重量の重たいヒートポンプ装置を伴って出し入れする必要がなく、軽く操作できる。乾燥庫の移動距離に制限がなく、大きく動かす場合には有利となる。
【００１３】
第６の発明は、乾燥庫とヒートポンプ装置を伸縮自在な可撓性の乾燥庫連結風路で連結したものであり、ヒートポンプ装置を移動させずに乾燥庫の移動が可能となり、乾燥庫を引き出して被乾燥物を出し入れするような構成の場合でも、重量の重たいヒートポンプ装置を伴って出し入れする必要がなく、軽く操作できる。着脱部が存在しないため、乾燥庫の移動に伴って着脱部から漏れを生じる恐れがない。
【００１４】
第７の発明は、乾燥庫は、その上方を開口し、本体に対して引き出し自在に構成したものであり、使い勝手をよくすることができる。
【００１５】
第８の発明は、乾燥庫を本体への収納時に前記乾燥庫の開口を閉塞する蓋体を有し、前記乾燥庫からの排気を前記蓋体を介して行うようにしたものであり、乾燥庫を引き出す距離に比べて、蓋体の移動距離は小さく済むため、移動距離の小さい蓋体を介して排気または吸気行うことで、簡単で、漏れのない確実な風路を構成できる。
【００１６】
第９の発明は、乾燥庫の前面開口を開閉する蓋体と、被乾燥物を収容する食器かごとを有し、前記前面開口を開成した前記蓋体上に前記食器かごを引き出し自在に構成したものであり、使い勝手をよくすることができる。
【００１７】
第１０の発明は、ヒートポンプ装置は、本体の下方または後方に配設したものであり、被乾燥物の出し入れを阻害しない位置にヒートポンプ装置を設置できる。本体の下方または後方の空間は利用されていない場合が多く、使われていない空間を有効に利用できる。
【００１８】
第１１の発明は、ヒートポンプ装置は、乾燥庫の下方または後方に配設したものであり、被乾燥物の出し入れを阻害しない位置にヒートポンプ装置を設置できる。また、下方に
設置した場合には、乾燥庫の奥行が短くなることなく、食器かごの食器の収容スペースを確保することができるので、一度に洗浄可能な食器点数が少なくなることがない。一方、後方に配設した場合には、乾燥庫の高さが低くなることがなく、食器を立ててセットできる高さを確保することができるので、洗浄可能な皿等の食器の大きさが小さくなることがない。
【００１９】
第１２の発明は、被乾燥物を洗浄する洗浄手段を備えたものであり、乾燥から洗浄まで一貫して行うことができる。
【００２０】
第１３の発明は、ヒートポンプ装置により発生した温熱または冷熱は、複数の装置で利用可能としたものであり、加熱、冷却を伴う保存庫や調理器具などに本ヒートポンプ装置より熱を提供でき、複数機器の熱源を統合することで、装置の小型化や低コスト化が図れる。
【００２１】
以下、本発明の実施の形態について、図面を参照しながら説明する。なお、本実施の形態によって本発明が限定されるものではない。
【００２２】
（実施の形態１）
図１は、本発明の第１の実施の形態における食器乾燥機の主要断面図である。図２は、キッチンキャビネットに組み込んだ状態の外観図である。図１において、本体２０は、システムキッチンのカウンターなどのキッチンキャビネット２１に内装されている。本体２０の前面には扉体２２を設け、本体２０内には、食器等の被乾燥物２３を収容する乾燥庫２４を備えている。乾燥庫２４はその上部を開口部２５とし、この開口部２５を閉塞する蓋体２６を有し、乾燥庫２４内には被乾燥物２３をセットする食器かご２７を備えている。
【００２３】
また、被乾燥物２３を乾燥させるヒートポンプ装置２８は、乾燥庫２４の下方に設置されており、冷媒を圧縮する圧縮機２９と、圧縮機２９により圧縮された冷媒の熱を放熱する放熱器３０と、冷媒の圧力を減圧する絞り手段３１と、冷媒により熱を奪う吸熱器３２と、冷媒が圧縮機２９と放熱器３０と絞り手段３１と吸熱器３２を循環するように連結した管路３３を有している。
【００２４】
吸熱器３２から放熱器３０および乾燥庫２３を経て再び吸熱器３２に至る循環風路３４を構成しており、循環風路３４内に乾燥用空気を循環させる送風機３５を備えている。循環風路３４のうち、乾燥庫と２３ヒートポンプ装置２８は乾燥庫連結風路３６で連結されており、乾燥庫連結風路３６は着脱部３７を備え、着脱部３７には空気の漏れを防止するシール部材３８を設けている。また、乾燥庫２４と蓋体２６の間にもシール部材３９を設けており、乾燥風の漏れを防止する。
【００２５】
また、本厨房装置には、被乾燥物２３を洗浄する洗浄機能も備えており、乾燥機能に加え洗浄も行える洗浄乾燥機であり、食器洗い乾燥機の例を示している。乾燥庫２４に洗浄水を供給する給水弁４０（図示せず）と、洗浄水を圧送する洗浄ポンプ（洗浄手段）４１と、圧送された洗浄水を噴射する複数の噴射孔を設けた洗浄ノズル４２とを備えている。
【００２６】
乾燥庫２４の底部には、洗浄ポンプ４１の吸い込み側へ連通した排水口４３を有し、この排水口４３には残さいを収集する残さいフィルタ４４を備えている。また、洗浄水を加熱する加熱手段４５、乾燥庫２４の温度を検知する温度センサ４６と、乾燥庫２４内の洗浄水を排出する排水ポンプ４７を備えている。なお、給水と排水の構成は、既存と同様であるため図示していない。
【００２７】
図３は、乾燥庫２４を引き出した状態の図である。扉体２２と乾燥庫２４は一体化され、本体２０より引き出し可能に設けている。乾燥庫２４を引き出す動作に連動して、蓋体２６は上方に移動するように構成しており（図示せず）、乾燥庫２４を引き出せば、蓋体２６は上方に若干移動して本体２０内に残り、上部を開口した乾燥庫２４のみが引き出されるようになっている。つまり、扉体２２を引き出せば、使用者は食器等を出し入れすることができるようになっている。
【００２８】
基本動作としては、食器等の被乾燥物２３を食器かご２７にセットして乾燥庫２４に収納し、洗剤を投入した後、乾燥庫２４を本体２０内に格納する。乾燥庫２４の開口部２５は蓋体２６により閉塞され、運転を開始する。洗浄手段である洗浄ポンプ４１を駆動し被洗浄物２３の汚れを落とす洗浄工程、同じく洗浄ポンプ４１により被洗浄物に付着した洗剤や残さいを流すすすぎ工程、そして被洗浄物２３に付着している水適を乾燥させる乾燥工程の順に実行する。
【００２９】
次に、本発明の特徴的な構成である乾燥工程の動作、作用について説明する。圧縮機２９を運転すると、管路３３内を冷媒は矢印４９の方向に流れて循環し、ヒートポンプサイクルを実現する。放熱器３０では、周囲の空気を加熱し、吸熱器３２では、周囲の空気を冷却し、空気中の水分を結露させ、除湿することができる。送風機３５より矢印４８の方向に送風される乾燥用空気は、放熱器３０により加熱されて導入口５０より乾燥庫２４内に入り、食器を通過し多湿となった空気は排出口５１より吸熱器３２を通過して除湿され、再び循環風路３４を通って放熱器３０により放熱され、低湿高温の乾燥用空気を乾燥庫２４内へ供給する循環動作を繰り返す。
【００３０】
このように、本発明によれば、被洗浄物を乾燥する乾燥手段にヒートポンプ装置２８を用いたことにより、乾燥庫２内で発生した多湿空気を除湿することができるため、本体２０外へ蒸気を排出せずに、乾燥させることができる。これにより、使用者が不快に感じることを防止し、キッチンキャビネット２１など周囲の部材に悪影響を与えることも防止できる。
【００３１】
また、ヒートポンプ装置２８の放熱器３０から発生する熱を乾燥用の加熱手段として使用し、吸熱器３２による冷却を除湿として使用することができ、乾燥促進用の加熱と除湿用の冷却を１個のエネルギー源（ヒートポンプ装置２８）で行えることから、省エネ化が図れる。
【００３２】
ただし、放熱器３０を吸熱器３２の両方を利用する必要はなく、どちらか一方のみを使用した場合でも効果を発揮する。例えば、洗浄水加熱用の加熱手段を乾燥用の熱源とし、冷却除湿のみをヒートポンプ装置２８を利用することも可能であり、使用エネルギー量は増加するが、短時間で乾燥できるなどのメリットが得られる。
【００３３】
また、放熱器３０は、循環経路３４内に設置したが、乾燥庫２４内に設置する構成であってもかまわない。放熱器３０を乾燥内に配置した場合、洗浄水を加熱する加熱手段４５の代替として利用した場合には、加熱手段４５をなくすことも可能であり、装置の簡素化、低コスト化につながる。
【００３４】
循環風路３４のうち、乾燥庫とヒートポンプ装置２８は乾燥庫連結風路３６で連結され、乾燥庫連結風路３６は着脱部３７を備えており、被乾燥物２３の出し入れのために、乾燥庫２４を引き出す際には、ヒートポンプ装置２８を移動させずに乾燥庫２４の移動が可能となる。重量の重たいヒートポンプ装置２８を伴って出し入れする必要がなく、出し入れの沿う操作力が軽く済み、使い勝手のよい機器を提供できる。また、乾燥庫２４の移動距離に制限がなく、大きく動かす場合には特に有利となる。
【００３５】
着脱部３７に設けたシール部材３８は、空気の漏れを防止し、乾燥性能が悪化したり、多湿空気が本体２０内に漏れ出て、構成部材や電子部材を劣化、破損させることを防止する。
【００３６】
なお、乾燥庫２４との接続は乾燥庫２４の壁面を通して行ったが、接続構成を限定するものではなく、乾燥庫２４内に乾燥用空気を流入、排出できる構成であればよい。たとえば、蓋体２６を通して行う構成であってもかまわない。また、洗浄手段を有する場合には、洗浄水が入り込まないような構造や入り込んだ洗浄水を排出する構成が必要となる。
【００３７】
また、図１では、循環経路３３は完全に外部とは独立した構成としたが、図４のように、外気導入口５２より一部外気を吸い込み、排気口５３から一部を排気する構成であったり、図５のように、循環せずに乾燥庫２４外部より吸気した空気を放熱器３０で加熱し、乾燥庫２４に導き、吸熱器３２で冷却除湿して、排気口５３より外部に排気する構成であっても、本体２０外に排出される水分量を低減できることから、使用者が不快に感じることを防止し、キッチンキャビネット２１など周囲の部材に悪影響を与えることも防止できる。
【００３８】
なお、図１のように外気を導入しない循環サイクルの場合、長時間の使用により乾燥用空気が高温になりすぎるという課題も考えられ、一部吸気排気を行うことで、この課題も解決できる。循環と排気の風量を調整する調整弁（図示せず）を設けた場合には、庫内の温度、湿度や外気の温度、湿度などに応じて最適な風量や比率に設定することができる。例えば、乾燥開始直後は循環のみあるいは循環量を多くすることで、循環風の温度上昇を促進し、乾燥性能を高め、乾燥の進行した後半は、排気量を増やして過剰な温度上昇を避け、被洗浄物の劣化を防ぐなどを効果が得られる。
【００３９】
図３のように、その上方を開口し、本体２０に対して引き出し自在に構成したものであり、乾燥庫２４を引き出すという１回の操作のみで食器かごを引き出し、被乾燥物２３を出し入れ可能な状態にすることができる。操作回数が１回で済むことに加え、食器かご２７の引き出しや食器の出し入れをかがまずに、立ったままの自然な姿勢で行える利点があり、使用者の身体的負担を軽減できる。
【００４０】
本実施の形態のように、乾燥以外に加え洗浄機能を備えた場合には、乾燥のみならず、洗浄から乾燥まで一貫して行うことができるが、乾燥機能のみを有する場合であっても、同様の効果が得られる。
【００４１】
（実施の形態２）
図６は、本発明の第２の実施の形態の厨房装置の主要断面図である。基本的な構成は図１と同様であり、ヒートポンプ装置２８を乾燥庫２４の後方に設置し、乾燥庫２４とヒートポンプ装置２８は伸縮自在な可撓性の乾燥庫連結風路５４で連結したものである。ヒートポンプ装置２８を移動させずに乾燥庫２４の移動が可能なことは、実施の形態１と同様であるが、着脱部が存在しないため、乾燥庫２４の移動に伴って着脱部から漏れを生じる恐れがなく、信頼性の高い機器を提案できる。
【００４２】
また、ヒートポンプ装置２８を乾燥庫２４の後方に配設すれば、乾燥庫２４の高さが低くなることがなく、食器を立ててセットできる高さを確保することができるので、洗浄可能な皿等の食器の大きさが小さくなることがない。
【００４３】
（実施の形態３）
図７は、本発明の第３の実施の形態の厨房装置の主要断面図である。基本的な構成は図
１と同様であり、ヒートポンプ装置２８は本体２０と分離して設け、ヒートポンプ装置２８は本体２０外の下方に設置し、本体２０とヒートポンプ装置２８は着脱可能な本体連結風路５５で連結したものである。
【００４４】
ヒートポンプ装置２８は、本体２０と分離して設けたものであり、本体２０の小型化や軽量化が図れ、厨房装置の施工性が向上する。また、ヒートポンプ装置２８の大きさが自在であり、能力に応じたヒートポンプ装置２８を準備することが可能であり、要求する能力に応じてヒートポンプ装置２８を選択することで、能力や大きさ、費用などの最適化を図ることができる。
【００４５】
また、本体２０とヒートポンプ装置２８を連結する本体連結風路５５は、着脱自在に設けたものであり、本体２０とヒートポンプ装置２８を別々に扱え、風路をつなぐだけで済むことから施工性の向上が図れる。
【００４６】
また、図８のように、本体２０とヒートポンプ装置２８を伸縮自在な可撓性の本体連結風路５６で連結した場合も、同様に、ヒートポンプ装置２８の設置の自由度が高まり施工性が向上する。また、施工に伴い本体連結風路５６が破損することを防止できる。
【００４７】
ヒートポンプ装置２８を本体２０の下方または後方に配設すれば、被乾燥物２３の出し入れを阻害しない位置にヒートポンプ装置２８を設置できる。本体２０の下方または後方の空間は利用されていない場合が多く、使われていない空間を有効に利用できる。また、本体の隣にヒートポンプ装置２８を設置し、接続することも可能であり、大型のヒートポンプ装置２８を設置することもできる。
【００４８】
また、図８のように、ヒートポンプ装置２８を本体２０外の後方に設置した場合は、本体２０の下方を引出し２１ａ等として有効に活用することができる。
【００４９】
また、上記構成に限定するものではなく、図９のように、乾燥庫２４の前面開口を開閉する蓋体２６（扉体２２と一体）と、被乾燥物２３を収容する食器かご２７とを有し、前面開口を開成した蓋体２６上に食器かご２７を引き出し自在に構成した場合も考えられる。また、この場合は、食器かご２７の側方からも被乾燥物２３の出し入れを行えることから、食器かご２７の位置を低くし、より被洗浄物２３の収容できる空間を広げることが可能となり、収容量の拡大につながる。
【００５０】
また、乾燥庫２４の前面開口を開閉する蓋体２６（扉体２２と一体）と、被乾燥物２３を収容する食器かご２７とを有し、前記蓋体２６の開放と同時に食器かご２７を引き出し自在に構成した場合には、図９では蓋体２６を開放し、食器かご２７を引き出すという２回の動作を一度に行え、操作性の向上が図れる。
【００５１】
（実施の形態４）
図１０は、本発明の第４の実施の形態の厨房装置の主要断面図である。基本的な構成は図１と同様であり、乾燥庫２４を本体への収納時に前記乾燥庫２４の開口を閉塞する蓋体２６を介して、乾燥庫２４からの吸気と排気を行うようにしたものであり、乾燥庫連結風路５７は、中間に伸縮部を備えた弾性体で構成している。
【００５２】
カウンターの下に内装した場合、その奥行き寸法を考慮すれば、５０ｃｍ程度は引き出す必要があるが、蓋体２６の移動距離は１〜３ｃｍ程度で済む。このため、移動距離の小さい蓋体２６を介して排気や吸気を行うことで、構成の簡素化が図れる。図１０のように伸縮部を設けずに、乾燥庫連結風路５７の弾性を利用する方法も考えられる。いずれにしても、風路を着脱することなく、連結した状態で乾燥庫２４を出し入れ可能とした場合に
は、漏れのない確実な風路を構成できる。
【００５３】
（実施の形態５）
図１１は、本発明の第５の実施の形態の厨房装置の主要断面図である。基本的な構成は図１と同様であり、ヒートポンプ装置２８により発生した温熱または冷熱は、複数の装置で利用可能としたものであり、給水接続部５８、温水取り出し部５９と冷風取り出し口６０を備えている。温水取り出し部は５９、食材の保温庫６１に、冷風取り出し口６０はキッチンキャビネット下端部の吹出し部６２に各々接続されている。
【００５４】
給水接続部５８より供給された水は、放熱器３０により加熱され、温水として取り出すことができ、保温庫６１は、庫内の底面および側面に温水取り出し部５９よりでた温水の通る管を配しており、庫内が所定温度に保たれるようになっている。調理後の料理の保存などに利用できる。
【００５５】
一方、吸熱器３２を通過した空気を取り出せる冷風取り出し口６０をキッチンキャビネットの足元に向かって流すようにした場合には、夏場に冷風機として利用でき、快適なキッチン空間を創造できる。
【００５６】
なお、温水の利用は、他にも考えられ、手洗いなどに利用したり、キッチンの床下に配して床暖房として利用することもできる。また、ヒートポンプ装置２８の温熱を温風として取り出すこともでき、キッチンの暖房などに使用可能である。また、冷風は、部屋の冷房だけでなく、加熱後の食材の冷却などに使用することもできる。また、冷熱を冷水として取り出した場合には、保冷庫として利用できる。
【００５７】
このように、加熱、冷却を伴う保存庫や調理器具などに本ヒートポンプ装置２８より熱を提供でき、複数機器の熱源を統合することで、装置の小型化や低コスト化が図れる。
【産業上の利用可能性】
【００５８】
以上のように、本発明にかかる厨房装置は、高温多湿の空気を本体外に排出することがないので、食器等を乾燥する厨房装置として有用である。
【図面の簡単な説明】
【００５９】
【図１】本発明の実施の形態１の厨房装置の主要断面図
【図２】同厨房装置をキッチンキャビネットに組み込んだ状態の外観図
【図３】同厨房装置の乾燥庫を引き出した状態の主要断面図
【図４】同厨房装置の他の例の主要断面図
【図５】同厨房装置の他の例の主要断面図
【図６】本発明の実施の形態２の厨房装置の主要断面図
【図７】本発明の実施の形態３の厨房装置の主要断面図
【図８】同厨房装置の他の例の主要断面図
【図９】同厨房装置の他の例の主要断面図
【図１０】本発明の実施の形態４の厨房装置の主要断面図
【図１１】本発明の実施の形態５の厨房装置の主要断面図
【図１２】従来の厨房装置の主要断面図
【符号の説明】
【００６０】
２０  本体
２１  キッチンキャビネット
２４  乾燥庫
２６  蓋体
２７  食器かご
２８  ヒートポンプ装置
３６  乾燥庫連結風路
４１  洗浄ポンプ（洗浄手段）
５５  本体連結風路
５６  本体連結風路
５７  乾燥庫連結風路
【図１】
0004396616.tif 000002
【図２】
0004396616.tif 000003
【図３】
0004396616.tif 000004
【図４】
0004396616.tif 000005
【図５】
0004396616.tif 000006
【図６】
0004396616.tif 000007
【図７】
0004396616.tif 000008
【図８】
0004396616.tif 000009
【図９】
0004396616.tif 000010
【図１０】
0004396616.tif 000011
【図１１】
0004396616.tif 000012
【図１２】
0004396616.tif 000013